(57)【要約】      （修正有）【課題】基地局とユーザ端末とのデータ再送方法を提供する。【解決手段】基地局は、データ再送時に、前記データの初回送信時に使用されたキャリアのインデックスを、明示的または暗示的な方式でユーザ端末へ指示し、ユーザ端末は、受信された再送データの初回送信時に使用されたキャリアのインデックスを、明示的または暗示的な方式で決定し、結合対象データを位置決めして、再送データと結合対象データとを結合する、ことを含む。また、上記方法を実現する基地局およびユーザ端末が提供されている。【選択図】図１
2011250407.tif 000002
【特許請求の範囲】
【請求項１】
データ再送方法であって、
基地局は、データ再送時に、前記データの初回送信時に使用されたキャリアのインデックスを、明示的または暗示的な方式でユーザ端末へ指示し、
ユーザ端末は、受信された再送データの初回送信時に使用されたキャリアのインデックスを決定し、結合対象データを位置決めして、再送データと結合対象データとを結合する、
ことを含むことを特徴とする方法。
【請求項２】
基地局が、前記データの初回送信時に使用されたキャリアのインデックスを、明示的または暗示的な方式でユーザ端末へ指示することは、基地局が、前記データの初回送信時に使用されたキャリアのインデックスを示すハイブリッド自動再送要求プロセスセット（ＨＰＳ）を、明示的または暗示的な方式で下り制御シグナリングに付けて、ＨＰＳが付けられた下り制御シグナリングをユーザ端末へ送信する、ことを含み、
ユーザ端末が、受信された再送データの初回送信時に使用されたキャリアのインデックスを決定し、結合対象データを位置決めすることは、ユーザ端末が、下り制御シグナリングを受信し、下り制御シグナリングにおける明示的または暗示的な方式で付けられたＨＰＳに基づいて、受信された再送データの初回送信時に使用されたキャリアのインデックスを決定してから、受信された再送データの初回送信時に使用されたキャリアのインデックスに基づいて、結合対象データを位置決めする、ことを含む、
ことを特徴とする請求項１に記載の方法。
【請求項３】
基地局が、ＨＰＳを明示的な方式で下り制御シグナリングに付けることは、下り制御シグナリングにＨＰＳフィールドを追加し、ＨＰＳを下り制御シグナリングのＨＰＳフィールドに搭載する、ことを含み、
ユーザ端末が、下り制御シグナリングにおける明示的な方式で付けられたＨＰＳに基づいて、受信された再送データの初回送信時に使用されたキャリアのインデックスを決定することは、ユーザ端末が、下り制御シグナリングのＨＰＳフィールドに付けられたＨＰＳに基づいて、受信された再送データの初回送信時に使用されたキャリアのインデックスを決定する、ことを含む、
ことを特徴とする請求項２に記載の方法。
【請求項４】
基地局が、ＨＰＳを明示的な方式で下り制御シグナリングに付けることは、データ再送時に使用されるキャリアのインデックスとＨＰＳとの統合符号化結果を搭載するように、下り制御シグナリングにおけるキャリアインデックス（ＣＩ）フィールドを拡張し、データ再送時に使用されるキャリアのインデックスとＨＰＳとを統合符号化し、データ再送時に使用されるキャリアのインデックスとＨＰＳとの統合符号化結果を、下り制御シグナリングのＣＩフィールドに搭載する、ことを含み、
ユーザ端末が、下り制御シグナリングにおける明示的な方式で付けられたＨＰＳに基づいて、受信された再送データの初回送信時に使用されたキャリアのインデックスを決定することは、ユーザ端末が、受信された下り制御シグナリングのＣＩフィールドに搭載された、データ再送時に使用されるキャリアのインデックスとＨＰＳとの統合符号化結果を復号化して、データ再送時に使用されるキャリアのインデックスとＨＰＳとを得、得られたＨＰＳに基づいて、受信された再送データの初回送信時に使用されたキャリアのインデックスを決定する、ことを含む、
ことを特徴とする請求項２に記載の方法。
【請求項５】
基地局が、ＨＰＳを暗示的な方式で下り制御シグナリングに付けることは、ユーザ識別子（ＵＥ  ＩＤ）とＨＰＳとを加算して、第１のシーケンスを得、第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しい下り制御シグナリングとする、ことを含み、
ユーザ端末が、下り制御シグナリングにおける暗示的な方式で付けられたＨＰＳに基づいて、受信された再送データの初回送信時に使用されたキャリアのインデックスを決定することは、ユーザ端末が、受信された下り制御シグナリングを第３のシーケンスとし、ＵＥ  ＩＤとＨＰＳの全ての可能な値のそれぞれとを加算して、複数の候補シーケンスを得、各候補シーケンスそれぞれで第３のシーケンスを排他的論理和演算して、複数のＣＲＣ推定値を得、下り制御シグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得、得られたＨＰＳに基づいて、受信された再送データの初回送信時に使用されたキャリアのインデックスを決定する、ことを含む、
ことを特徴とする請求項２に記載の方法。
【請求項６】
基地局が、ＨＰＳを暗示的な方式で下り制御シグナリングに付けることは、セル識別子（ＣＥＬＬ  ＩＤ）とＨＰＳとを加算して、第１のシーケンスを得、第１のシーケンスと下り制御シグナリングの構成シーケンスとを排他的論理和演算して、第２のシーケンスを得、第２のシーケンスを新しい下り制御シグナリングとする、ことを含み、
ユーザ端末が、下り制御シグナリングにおける暗示的な方式で付けられたＨＰＳに基づいて、受信された再送データの初回送信時に使用されたキャリアのインデックスを決定することは、ユーザ端末が、受信された下り制御シグナリングを第２のシーケンスとし、ＣＥＬＬ  ＩＤとＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得、得られたＨＰＳに基づいて、受信された再送データの初回送信時に使用されたキャリアのインデックスを決定する、ことを含む、
ことを特徴とする請求項２に記載の方法。
【請求項７】
基地局が、データ再送時に、前記データの初回送信時に使用されたキャリアのインデックスを、暗示的な方式でユーザ端末へ指示することは、基地局が、ユーザ端末と約束した再送用のキャリアオフセットフォーマット、およびデータの初回送信時に使用されたキャリアのインデックスに基づいて、データ再送時に使用されるキャリアを決定し、下り制御シグナリングをユーザ端末へ送信する、ことを含み、
ユーザ端末が、受信された再送データの初回送信時に使用されたキャリアのインデックスを決定することは、ユーザ端末が、下り制御シグナリングを受信した後、基地局と約束したキャリアオフセットフォーマット、および再送データ受信用のインデックスに基づいて、データの初回送信時に使用されたキャリアのインデックスを決定する、ことを含む、
ことを特徴とする請求項１に記載の方法。
【請求項８】
基地局は、数式Ｃ＝（Ｏ×Ｒ＋ＨＰＳ）ｍｏｄ  Ｎによって、データ再送時に使用されるキャリアのインデックスを決定し、ユーザ端末も、前記数式によって、データの初回送信時に使用されたキャリアのインデックスを決定し、
ここで、Ｃは、データ再送時に使用されるキャリアのインデックスであり、Ｏは、キャリアオフセットフォーマットで約束したキャリアオフセット量であり、Ｒは再送の回数であり、ＨＰＳは、データの初回送信時に使用されたキャリアのインデックスであり、Ｎはキャリア数である、
ことを特徴とする請求項７に記載の方法。
【請求項９】
基地局であって、
データ再送時に、前記データの初回送信時に使用されたキャリアのインデックスを、明示的または暗示的な方式でユーザ端末へ指示するキャリア指示手段と、
データを再送するデータ再送手段と、
を含むことを特徴とする基地局。
【請求項１０】
前記データの初回送信時に使用されたキャリアのインデックスを搭載するためのハイブリッド自動再送要求プロセスセット（ＨＰＳ）フィールドを、下り制御シグナリングに追加するＨＰＳフィールド追加手段を、さらに含み、
キャリア指示手段は、前記データの初回送信時に使用されたキャリアのインデックスを示すＨＰＳが付けられた下り制御シグナリングを、ユーザ端末へ送信する、
ことを特徴とする請求項９に記載の基地局。
【請求項１１】
前記データ再送時に使用されるキャリアのインデックスとＨＰＳとの統合符号化結果を搭載するように、下り制御シグナリングにおけるキャリアインデックス（ＣＩ）フィールドを拡張するＣＩフィールド拡張手段を、さらに含み、
キャリア指示手段は、データ再送時に使用されるキャリアのインデックスとＨＰＳとを統合符号化して、前記データ再送時に使用されるキャリアのインデックスとＨＰＳとの統合符号化結果が付けられた下り制御シグナリングを、ユーザ端末へ送信し、ここで、ＨＰＳは、前記データの初回送信時に使用されたキャリアのインデックスを示す、
ことを特徴とする請求項９に記載の基地局。
【請求項１２】
ユーザ識別子（ＵＥ  ＩＤ）とＨＰＳとを加算して、第１のシーケンスを得る第１のシーケンス生成手段と、
第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しい下り制御シグナリングとする下り制御シグナリング生成手段と、
をさらに含み、
キャリア指示手段は、新しい下り制御シグナリングをユーザ端末へ送信する、
ことを特徴とする請求項９に記載の基地局。
【請求項１３】
セル識別子（ＣＥＬＬ  ＩＤ）とＨＰＳとを加算して、第１のシーケンスを得る第１のシーケンス生成手段と、
第１のシーケンスと下り制御シグナリングの構成シーケンスとを排他的論理和演算して、第２のシーケンスを得、第２のシーケンスを新しい下り制御シグナリングとする下り制御シグナリング生成手段と、
をさらに含み、
キャリア指示手段は、新しい下り制御シグナリングをユーザ端末へ送信する、
ことを特徴とする請求項９に記載の基地局。
【請求項１４】
ユーザ端末とキャリアオフセットフォーマットを予め同期するキャリアオフセットフォーマット同期手段を、さらに含み、
キャリア決定手段は、ユーザ端末と約束したキャリアオフセットフォーマット、およびデータの初回送信時に使用されたキャリアのインデックスに基づいて、データ再送時に使用されるキャリアを決定し、
キャリア指示手段は、下り制御シグナリングをユーザ端末へ送信する、
ことを特徴とする請求項９に記載の基地局。
【請求項１５】
ユーザ端末であって、
再送データを受信するデータ受信手段と、
前記データの初回送信時に使用されたキャリアのインデックスに基づいて、結合対象データを位置決めするデータ位置決め手段と、
再送データと結合対象データとを結合し、データの受信を完成するデータ結合手段と、
を含むことを特徴とするユーザ端末。
【請求項１６】
下り制御シグナリングを受信し、データ受信手段に対し、下り制御シグナリングに従って再送データを受信するよう指示する下り制御シグナリング受信手段を、さらに含み、
データ位置決め手段は、受信された下り制御シグナリングに付けられたハイブリッド自動再送要求プロセスセット（ＨＰＳ）に基づいて、結合対象データを位置決めする、
ことを特徴とする請求項１５に記載のユーザ端末。
【請求項１７】
下り制御シグナリングを受信し、下り制御シグナリングのＣＩフィールドに搭載された、データ再送時に使用されるキャリアのインデックスとＨＰＳとの統合符号化結果を復号化して、データ再送時に使用されるキャリアのインデックスとＨＰＳとを得、データ受信手段に対し、データ再送時に使用されるキャリアで、再送データを受信するよう指示する下り制御シグナリング受信手段を、さらに含み、
データ位置決め手段は、ＨＰＳに基づいて、結合対象データを位置決めする、
ことを特徴とする請求項１５に記載のユーザ端末。
【請求項１８】
下り制御シグナリングを受信し、データ受信手段に対し、下り制御シグナリングに従って再送データを受信するよう指示する下り制御シグナリング受信手段と、
受信された下り制御シグナリングを第３のシーケンスとし、ユーザ識別子（ＵＥ  ＩＤ）とＨＰＳの全ての可能な値のそれぞれとを加算して、複数の候補シーケンスを得、各候補シーケンスそれぞれで第３のシーケンスを排他的論理和演算して、複数のＣＲＣ推定値を得、下り制御シグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得るＨＰＳ決定手段と、
をさらに含み、
データ位置決め手段は、得られたＨＰＳに基づいて、結合対象データを位置決めする、
ことを特徴とする請求項１５に記載のユーザ端末。
【請求項１９】
下り制御シグナリングを受信し、データ受信手段に対し、下り制御シグナリングに従って再送データを受信するよう指示する下り制御シグナリング受信手段と、
受信された下り制御シグナリングを第２のシーケンスとし、セル識別子（ＣＥＬＬ  ＩＤ）とＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得るＨＰＳ決定手段と、
をさらに含み、
データ位置決め手段は、得られたＨＰＳに基づいて、結合対象データを位置決めする、
ことを特徴とする請求項１５に記載のユーザ端末。
【請求項２０】
基地局と約束したキャリアオフセットフォーマット、および再送データ受信用のインデックスに基づいて、前記データの初回送信時に使用されたキャリアのインデックスを決定するキャリアオフセットフォーマット同期手段と、
下り制御シグナリングを受信し、データ受信手段に対し、下り制御シグナリングに従って再送データを受信するよう指示する下り制御シグナリング受信手段と、
をさらに含み、
データ位置決め手段は、決定されたデータの初回送信時に使用されたキャリアのインデックスに基づいて、結合対象データを位置決めする、
ことを特徴とする請求項１５に記載のユーザ端末。
【発明の詳細な説明】
【技術分野】
【０００１】
本発明は、移動通信技術に関し、特に、データ再送方法およびその装置に関する。
【背景技術】
【０００２】
ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）が、第４世代（４Ｇ）無線通信の定義として公認されている。ＩＭＴ−Ａｄｖａｎｃｅｄのさまざまな需要指標を満足するために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、特に、改善された長期的進化（ＬＴＥ−Ａ：Ｌｏｎｇ  Ｔｅｒｍ  Ｅｖｏｌｕｔｉｏｎ−Ａｄｖａｎｃｅｄ）システムが定義され、そのＬＴＥ−Ａシステムに対して、キャリアアグリゲーション、協調マルチポイント送受信、中継伝送および高度化マルチアンテナ等を含むいくつかのキー技術が提出されている。ＬＴＥ−Ａでは、連続キャリアアグリゲーションと、帯域内および帯域間での不連続キャリアアグリゲーションとがサポートされ、アグリゲートできる最大帯域幅が、１００ＭＨｚに達することができる。今、ＬＴＥ−Ａの標準化作業では、現在最大５つのキャリアのアグリゲーションをサポートすることが既に採択されている。各キャリアには、独立の伝送ブロックとハイブリッド自動再送要求（ＨＡＲＱ）動作とがあり、物理下り制御チャネル（ＰＤＣＣＨ）で本キャリアにおける物理下り共有チャネル（ＰＤＳＣＨ）／物理上り共有チャネル（ＰＵＳＣＨ）のリソース割り当てを指示することがサポートされる上に、ＰＤＣＣＨでほかのキャリアにおけるＰＤＳＣＨ／ＰＵＳＣＨのリソース割り当てを指示することもサポートできるが、ただ、基地局（ｅＮＢ）から送信されたシグナリングである下り制御情報（ＤＣＩ：Ｄｏｗｎｌｉｎｋ  Ｃｏｎｔｒｏｌ  Ｉｎｆｏｒｍａｔｉｏｎ）フォーマット（ＤＣＩ  ｆｏｒｍａｔ）に、３ビットのキャリアインデックス（ＣＩ：Ｃａｒｒｉｅｒ  Ｉｎｄｉｃａｔｏｒ）フィールドを追加することが求められる。
【発明の概要】
【発明が解決しようとする課題】
【０００３】
現在のＬＴＥ−Ａの標準化会議では、制御チャネル設計の簡単化などの課題を考慮した上で、再送について、再送時にキャリアを変更しないという合意に達している。従って、新しい制御シグナリングを導入する必要がない。但し、さらなる研究から、クロスキャリア動的スケジューリングおよびクロスキャリア動的再送によって、約９％のセルユーザスループットの改善を獲得できるということが発見された。従って、クロスキャリア再送は、未来の通信システムにおいてとても必要である。
【０００４】
再送時にキャリアを変更しなければ、つまり、再送が同じキャリアで行われれば、受信側にとっては、まず、ＰＤＣＣＨで受信されたＤＣＩ  ｆｏｒｍａｔに付けられた新データ指示子（ＮＤＩ）に基づいて、ＰＤＳＣＨで受信しようとするデータが新しいデータであるか、それとも再送データであるかを判断できる。ＰＤＳＣＨで受信しようとするデータが再送データである場合、さらに、ＤＣＩ  ｆｏｒｍａｔに付けられたＨＡＲＱプロセス番号（ＨＰＮ）に基づいて、受信される再送データとこの前に受信されたどのデータとを結合すべきであるかを、正確に位置決めできる。但し、再送過程でキャリアを変更できれば、つまり、クロスキャリア動的再送を実現すれば、新しいメカニズムを導入する必要がある。このようにしてはじめて、受信側に再送データを正確に結合させる目的を達成できる。
【課題を解決するための手段】
【０００５】
上記の技術的課題を解決するために、本発明では、ＨＡＲＱプロセスセット（ＨＰＳ：ＨＡＲＱ  Ｐｒｏｃｅｓｓ  Ｓｅｔ）の指示を完成し、データの再送を実現できるデータ再送方法およびその装置が提供されている。
【０００６】
本発明の実施例に係るデータ再送方法は、基地局は、データ再送時に、前記データの初回送信時に使用されたキャリアのインデックスを、明示的または暗示的な方式でユーザ端末へ指示し、ユーザ端末は、受信された再送データの初回送信時に使用されたキャリアのインデックスを決定し、結合対象データを位置決めして、再送データと結合対象データとを結合する、ことを含む。
【０００７】
基地局が、前記データの初回送信時に使用されたキャリアのインデックスを、明示的または暗示的な方式でユーザ端末へ指示することは、基地局が、前記データの初回送信時に使用されたキャリアのインデックスを示すハイブリッド自動再送要求プロセスセット（ＨＰＳ）を、明示的または暗示的な方式で下り制御シグナリングに付けて、ＨＰＳが付けられた下り制御シグナリングをユーザ端末へ送信する、ことを含み、ユーザ端末が、受信された再送データの初回送信時に使用されたキャリアのインデックスを決定し、結合対象データを位置決めすることは、ユーザ端末が、下り制御シグナリングを受信し、下り制御シグナリングにおける明示的または暗示的な方式で付けられたＨＰＳに基づいて、受信された再送データの初回送信時に使用されたキャリアのインデックスを決定してから、受信された再送データの初回送信時に使用されたキャリアのインデックスに基づいて、結合対象データを位置決めする、ことを含む。
【０００８】
基地局が、ＨＰＳを明示的な方式で下り制御シグナリングに付けることは、下り制御シグナリングにＨＰＳフィールドを追加し、ＨＰＳを下り制御シグナリングのＨＰＳフィールドに搭載する、ことを含み、ユーザ端末が、下り制御シグナリングにおける明示的な方式で付けられたＨＰＳに基づいて、受信された再送データの初回送信時に使用されたキャリアのインデックスを決定することは、ユーザ端末が、下り制御シグナリングのＨＰＳフィールドに付けられたＨＰＳに基づいて、受信された再送データの初回送信時に使用されたキャリアのインデックスを決定する、ことを含む。
【０００９】
基地局が、ＨＰＳを明示的な方式で下り制御シグナリングに付けることは、データ再送時に使用されるキャリアのインデックスとＨＰＳとの統合符号化結果を搭載するように、下り制御シグナリングにおけるキャリアインデックス（ＣＩ）フィールドを拡張し、データ再送時に使用されるキャリアのインデックスとＨＰＳとを統合符号化し、データ再送時に使用されるキャリアのインデックスとＨＰＳとの統合符号化結果を、下り制御シグナリングのＣＩフィールドに搭載する、ことを含み、ユーザ端末が、下り制御シグナリングにおける明示的な方式で付けられたＨＰＳに基づいて、受信された再送データの初回送信時に使用されたキャリアのインデックスを決定することは、ユーザ端末が、受信された下り制御シグナリングのＣＩフィールドに搭載された、データ再送時に使用されるキャリアのインデックスとＨＰＳとの統合符号化結果を復号化して、データ再送時に使用されるキャリアのインデックスとＨＰＳとを得、得られたＨＰＳに基づいて、受信された再送データの初回送信時に使用されたキャリアのインデックスを決定する、ことを含む。
【００１０】
基地局が、ＨＰＳを暗示的な方式で下り制御シグナリングに付けることは、ユーザ識別子（ＵＥ  ＩＤ）とＨＰＳとを加算して、第１のシーケンスを得、第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しい下り制御シグナリングとする、ことを含み、ユーザ端末が、下り制御シグナリングにおける暗示的な方式で付けられたＨＰＳに基づいて、受信された再送データの初回送信時に使用されたキャリアのインデックスを決定することは、ユーザ端末が、受信された下り制御シグナリングを第３のシーケンスとし、ＵＥ  ＩＤとＨＰＳの全ての可能な値のそれぞれとを加算して、複数の候補シーケンスを得、各候補シーケンスそれぞれで第３のシーケンスを排他的論理和演算して、複数のＣＲＣ推定値を得、下り制御シグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得、得られたＨＰＳに基づいて、受信された再送データの初回送信時に使用されたキャリアのインデックスを決定する、ことを含む。
【００１１】
基地局が、ＨＰＳを暗示的な方式で下り制御シグナリングに付けることは、セル識別子（ＣＥＬＬ  ＩＤ）とＨＰＳとを加算して、第１のシーケンスを得、第１のシーケンスと下り制御シグナリングの構成シーケンスとを排他的論理和演算して、第２のシーケンスを得、第２のシーケンスを新しい下り制御シグナリングとする、ことを含み、ユーザ端末が、下り制御シグナリングにおける暗示的な方式で付けられたＨＰＳに基づいて、受信された再送データの初回送信時に使用されたキャリアのインデックスを決定することは、ユーザ端末が、受信された下り制御シグナリングを第２のシーケンスとし、ＣＥＬＬ  ＩＤとＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得、得られたＨＰＳに基づいて、受信された再送データの初回送信時に使用されたキャリアのインデックスを決定する、ことを含む。
【００１２】
基地局が、データ再送時に、前記データの初回送信時に使用されたキャリアのインデックスを、暗示的な方式でユーザ端末へ指示することは、基地局が、ユーザ端末と約束した、再送用のキャリアオフセットフォーマット、およびデータの初回送信時に使用されたキャリアのインデックスに基づいて、データ再送時に使用されるキャリアを決定し、下り制御シグナリングをユーザ端末へ送信する、ことを含み、ユーザ端末が、受信された再送データの初回送信時に使用されたキャリアのインデックスを決定することは、ユーザ端末が、下り制御シグナリングを受信した後、基地局と約束したキャリアオフセットフォーマット、および再送データ受信用のインデックスに基づいて、データの初回送信時に使用されたキャリアのインデックスを決定する、ことを含む。
【００１３】
基地局は、数式Ｃ＝（Ｏ×Ｒ＋ＨＰＳ）ｍｏｄ  Ｎによって、データ再送時に使用されるキャリアのインデックスを決定し、ユーザ端末も、前記数式によって、データの初回送信時に使用されたキャリアのインデックスを決定し、ここで、Ｃは、データ再送時に使用されるキャリアのインデックスであり、Ｏは、キャリアオフセットフォーマットで約束したキャリアオフセット量であり、Ｒは再送の回数であり、ＨＰＳは、データの初回送信時に使用されたキャリアのインデックスであり、Ｎはキャリア数である。
【００１４】
本発明の実施例に係る基地局は、データ再送時に、前記データの初回送信時に使用されたキャリアのインデックスを、明示的または暗示的な方式でユーザ端末へ指示するキャリア指示手段と、データを再送するデータ再送手段と、を含む。
【００１５】
上記基地局は、前記データの初回送信時に使用されたキャリアのインデックスを搭載するためのハイブリッド自動再送要求プロセスセット（ＨＰＳ）フィールドを、下り制御シグナリングに追加するＨＰＳフィールド追加手段を、さらに含み、キャリア指示手段は、前記データの初回送信時に使用されたキャリアのインデックスを示すＨＰＳが付けられた下り制御シグナリングを、ユーザ端末へ送信する。
【００１６】
または、上記基地局は、前記データ再送時に使用されるキャリアのインデックスとＨＰＳとの統合符号化結果を搭載するように、下り制御シグナリングにおけるキャリアインデックス（ＣＩ）フィールドを拡張するＣＩフィールド拡張手段を、さらに含み、キャリア指示手段は、データ再送時に使用されるキャリアのインデックスとＨＰＳとを統合符号化して、前記データ再送時に使用されるキャリアのインデックスとＨＰＳとの統合符号化結果が付けられた下り制御シグナリングを、ユーザ端末へ送信し、ここで、ＨＰＳは、前記データの初回送信時に使用されたキャリアのインデックスを示す。
【００１７】
または、上記基地局は、ユーザ識別子（ＵＥ  ＩＤ）とＨＰＳとを加算して、第１のシーケンスを得る第１のシーケンス生成手段と、第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しい下り制御シグナリングとする下り制御シグナリング生成手段と、をさらに含み、キャリア指示手段は、新しい下り制御シグナリングをユーザ端末へ送信する。
【００１８】
または、上記基地局は、セル識別子（ＣＥＬＬ  ＩＤ）とＨＰＳとを加算して、第１のシーケンスを得る第１のシーケンス生成手段と、第１のシーケンスと下り制御シグナリングの構成シーケンスとを排他的論理和演算して、第２のシーケンスを得、第２のシーケンスを新しい下り制御シグナリングとする下り制御シグナリング生成手段と、をさらに含み、キャリア指示手段は、新しい下り制御シグナリングをユーザ端末へ送信する。
【００１９】
または、上記基地局は、ユーザ端末とキャリアオフセットフォーマットを予め同期するキャリアオフセットフォーマット同期手段を、さらに含み、キャリア決定手段は、ユーザ端末と約束したキャリアオフセットフォーマット、およびデータの初回送信時に使用されたキャリアのインデックスに基づいて、データ再送時に使用されるキャリアを決定し、キャリア指示手段は、下り制御シグナリングをユーザ端末へ送信する。
【００２０】
本発明の実施例に係るユーザ端末は、再送データを受信するデータ受信手段と、前記データの初回送信時に使用されたキャリアのインデックスに基づいて、結合対象データを位置決めするデータ位置決め手段と、再送データと結合対象データとを結合し、データの受信を完成するデータ結合手段と、を含む。
【００２１】
上記ユーザ端末は、下り制御シグナリングを受信し、データ受信手段に対し、下り制御シグナリングに従って再送データを受信するよう指示する下り制御シグナリング受信手段を、さらに含み、データ位置決め手段は、受信された下り制御シグナリングに付けられたハイブリッド自動再送要求プロセスセット（ＨＰＳ）に基づいて、結合対象データを位置決めする。
【００２２】
または、上記ユーザ端末は、下り制御シグナリングを受信し、下り制御シグナリングのＣＩフィールドに搭載された、データ再送時に使用されるキャリアのインデックスとＨＰＳとの統合符号化結果を復号化して、データ再送時に使用されるキャリアのインデックスとＨＰＳとを得、データ受信手段に対し、データ再送時に使用されるキャリアで、再送データを受信するよう指示する下り制御シグナリング受信手段を、さらに含み、データ位置決め手段は、ＨＰＳに基づいて、結合対象データを位置決めする。
【００２３】
または、上記ユーザ端末は、下り制御シグナリングを受信し、データ受信手段に対し、下り制御シグナリングに従って再送データを受信するよう指示する下り制御シグナリング受信手段と、受信された下り制御シグナリングを第３のシーケンスとし、ユーザ識別子（ＵＥ  ＩＤ）とＨＰＳの全ての可能な値のそれぞれとを加算して、複数の候補シーケンスを得、各候補シーケンスそれぞれで第３のシーケンスを排他的論理和演算して、複数のＣＲＣ推定値を得、下り制御シグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得るＨＰＳ決定手段と、をさらに含み、データ位置決め手段は、得られたＨＰＳに基づいて、結合対象データを位置決めする。
【００２４】
または、上記ユーザ端末は、下り制御シグナリングを受信し、データ受信手段に対し、下り制御シグナリングに従って再送データを受信するよう指示する下り制御シグナリング受信手段と、受信された下り制御シグナリングを第２のシーケンスとし、セル識別子（ＣＥＬＬ  ＩＤ）とＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得るＨＰＳ決定手段と、をさらに含み、データ位置決め手段は、得られたＨＰＳに基づいて、結合対象データを位置決めする。
【００２５】
または、上記ユーザ端末は、基地局と約束したキャリアオフセットフォーマット、および再送データ受信用のインデックスに基づいて、前記データの初回送信時に使用されたキャリアのインデックスを決定するキャリアオフセットフォーマット同期手段と、下り制御シグナリングを受信し、データ受信手段に対し、下り制御シグナリングに従って再送データを受信するよう指示する下り制御シグナリング受信手段と、をさらに含み、データ位置決め手段は、決定されたデータの初回送信時に使用されたキャリアのインデックスに基づいて、結合対象データを位置決めする。
【発明の効果】
【００２６】
本発明に係るデータ再送方法およびその装置は、ＨＰＳの指示を完成でき、データの再送を実現できる。
【図面の簡単な説明】
【００２７】
【図１】本発明の実施例に係るデータ再送方法のフローチャートである。
【図２】実施例１で拡張されたＤＣＩ  ｆｏｒｍａｔのフォーマットを示す。
【図３】実施例１に係るデータ再送方法のフローチャートである。
【図４】実施例２で拡張されたＤＣＩ  ｆｏｒｍａｔのフォーマットを示す。
【図５】実施例２に係るデータ再送方法のフローチャートである。
【図６】実施例３で拡張されたＤＣＩ  ｆｏｒｍａｔのフォーマットを示す。
【図７】実施例４に係るデータ再送方法のフローチャートである。
【図８】実施例５に係るデータ再送方法のフローチャートである。
【図９】実施例６に係るデータ再送方法のフローチャートである。
【図１０】本発明の実施例に係る基地局の内部構成を示す図である。
【図１１】本発明の実施例に係るユーザ端末の内部構成を示す図である。
【発明を実施するための形態】
【００２８】
以下、本分野の当業者にとって、本発明の上記および他の特徴とメリットがさらに明確になるように、図面を参照しながら、本発明の例示的な実施例を詳しく説明する。
【００２９】
データの再送を実現するために、本発明の実施例では、データ再送方法が提供されている。本発明の実施例で提供された方法によれば、基地局は、データ再送時に、該データの初回送信時に使用されたキャリアのインデックスを、明示的または暗示的な方式でユーザ端末へ指示する必要がある。ユーザ端末は、再送データを受信した後、該データの初回送信時に使用されたキャリアのインデックスを決定して、該データの初回送信時に使用されたキャリアのインデックスに基づいて、結合対象データを位置決めし、そして、再送データと結合対象データとを結合し、再送データの受信を完成する。本発明の実施例で提供されたデータ再送方法は、データのクロスキャリア動的再送に適用されてよく、クロスキャリア以外のデータ再送に適用されてもよい。
【００３０】
上記の方法から分かるように、基地局が、データ再送時に使用されるキャリアのインデックスと、該データの初回送信時に使用されたキャリアのインデックスとを、如何に明示的または暗示的な方式でユーザ端末へ指示するかは、データ再送を実現するためのキー技術の一つである。説明すべきものとして、説明の便宜上、以下、あるデータの初回送信時に使用されたキャリアのインデックスを、ＨＡＲＱプロセスセット（ＨＰＳ：ＨＡＲＱ  Ｐｒｏｃｅｓｓ  Ｓｅｔ）で示す。
【００３１】
本発明の実施例において、基地局は、例えばＰＤＣＣＨで送信されたＤＣＩ  ｆｏｒｍａｔシグナリングのような下り制御シグナリング、あるいは、キャリアオフセットフォーマットを予め約束することなどの、明示的または暗示的な複数の方式で、ＨＰＳをユーザ端末へ指示することができる。
【００３２】
前の方式では、下り制御シグナリングに、ＮＤＩとＨＰＮとを付ける必要があるばかりでなく、さらに、データの初回送信時に使用されたキャリアのインデックスであるＨＰＳを付ける必要もある。このようにして、基地局は、データ再送時に、下り制御シグナリングを介して、さらに、該データの初回送信時に使用されたキャリアのインデックスを、データの受信側（即ちユーザ端末）へ指示することができる。こうすれば、ユーザ端末は、下り制御シグナリングを受信して、下り制御シグナリングに付けられたＮＤＩに基づいて、ＰＤＳＣＨで受信しようとするデータが再送データであると判断した場合、下り制御シグナリングに付けられたＨＰＳに基づいて、受信された再送データとこの前に受信されたどのデータとを結合すべきであるかを正確に位置決めでき、これにより、再送データの受信を完成する。
【００３３】
図１は、本発明の実施例に係るデータ再送方法のフローチャートである。図１に示すように、本発明の実施例に係るデータ再送方法は、下記のステップを含んでよい。
【００３４】
ステップ１０１で、基地局は、前記データの初回送信時に使用されたキャリアのインデックスを示すＨＰＳを、明示的または暗示的な方式で下り制御シグナリングに付けて、ＨＰＳが付けられた下り制御シグナリングをユーザ端末へ送信する。
【００３５】
本ステップにおいて、基地局は、まず、データ再送時に使用されるキャリアを決定する必要があり、例えば、再送の成功率を向上させるように、チャネル品質が比較的よいキャリアを、データ再送時に使用されるキャリアとして選択することができる。また、下り制御シグナリングは、送信データが再送データであるか、それとも新しい送信データであるかを、ＮＤＩで示すことができる。
【００３６】
ステップ１０２で、ユーザ端末は、下り制御シグナリングを受信し、下り制御シグナリングにおける明示的または暗示的な方式で付けられたＨＰＳに基づいて、受信された再送データの初回送信時に使用されたキャリアのインデックスを決定してから、受信された再送データの初回送信時に使用されたキャリアのインデックスに基づいて、結合対象データを位置決めする。
【００３７】
本ステップにおいて、ユーザ端末は、データの初回送信時に使用されたキャリアのインデックスを知ると、該キャリアから受信されたデータをバッファリングするためのレジスタ（Ｂｕｆｆｅｒ）を位置決めすることができる。説明すべきものとして、本発明において、結合対象データは、上記のレジスタに記憶された、この前に受信された初回送信データであってよく、複数回の再送がある場合に、上記のレジスタに記憶された、初回送信データとこの前の再送データとの結合データであってもよい。初回送信データが再送データと同じＨＰＮを有するため、この後、ユーザ端末は、再送データのＨＰＮに基づいて、自局で受信された、基地局からの初回送信データ、あるいは基地局からの初回送信データと再送データとの結合データを、正確に位置決めすることができる。
【００３８】
以下、具体的な例によって、本発明の異なる応用シナリオでの実施例を詳細に説明する。
【００３９】
（実施例１）
本実施例において、下り制御シグナリングは、ＤＣＩ  ｆｏｒｍａｔシグナリングを例とする。また、ＤＣＩ  ｆｏｒｍａｔシグナリングには、ＣＩフィールドが含まれない。つまり、本実施例において、ＰＤＣＣＨで送信されたＤＣＩ  ｆｏｒｍａｔシグナリングは、本キャリアでのＰＤＳＣＨ／ＰＵＳＣＨのリソース割り当ての指示のみに用いることができる。
【００４０】
この場合、ＤＣＩ  ｆｏｒｍａｔシグナリングに、ＨＰＳ情報を搭載するための、即ち、データの初回送信時に使用されたキャリアのインデックスを搭載するためのＨＰＳフィールドを直接に追加することができる。図２は、実施例１で拡張されたＤＣＩ  ｆｏｒｍａｔのフォーマットを示す。図２において、ＤＣＩ  ｆｏｒｍａｔ欄は、ＮＤＩとＨＰＮとを搭載できる従来のＤＣＩ  ｆｏｒｍａｔシグナリングの構造を代表し、ＨＰＳ欄は、新たに追加されるＨＰＳフィールドを代表し、ＣＲＣ欄は、ＤＣＩ  ｆｏｒｍａｔシグナリングの巡回冗長検査（ＣＲＣ）の検査結果を搭載するためのＣＲＣフィールドを代表する。今、ＬＴＥ−Ａの標準化作業では、現在最大５つのキャリアのアグリゲーションをサポートすることが既に採択されている。そのため、ＨＰＳは、最大５つの値が可能であり、例えば、「０」、「１」、「２」、「３」および「４」を用いて、アグリゲートされる５つのキャリアをそれぞれ代表することができる。この場合、ＨＰＳフィールドの長さは、３ビットであってよい。
【００４１】
図３は、実施例１に係るデータ再送方法のフローチャートである。図３に示すように、本発明の実施例に係るデータ再送方法は、下記のステップを含んでよい。
【００４２】
ステップ２０１で、データの初回送信時に使用されたキャリアのインデックスを搭載するためのＨＰＳフィールドを、ＤＣＩ  ｆｏｒｍａｔシグナリングに追加する。
【００４３】
ステップ２０２で、基地局は、データを再送する前に、データ再送時に使用されるキャリアを決定する。
【００４４】
上記のように、本ステップにおいて、基地局は、任意の方式を採用して、データ再送時に使用されるキャリアを決定することができ、例えば、再送の成功率を向上させるように、チャネル品質が比較的よいキャリアを、データ再送時に使用されるキャリアとして、選択することができる。
【００４５】
ステップ２０３で、基地局は、ＨＰＳが付けられたＤＣＩ  ｆｏｒｍａｔシグナリングをユーザ端末へ送信して、ユーザ端末に対し、現在のキャリアで再送データを受信するよう指示し、かつ、該データの初回送信時に使用されたキャリアを、明示的な方式でユーザ端末へ指示する。ここで、ＨＰＳは、前記データの初回送信時に使用されたキャリアのインデックスを示す。
【００４６】
ステップ２０４で、基地局は、決定されたデータ再送時に使用されるキャリアで、データを再送する。
【００４７】
ステップ２０５で、ユーザ端末は、ＤＣＩ  ｆｏｒｍａｔシグナリングを受信して、ＤＣＩ  ｆｏｒｍａｔシグナリングの指示に従って、本キャリアで再送データを受信する。
【００４８】
ステップ２０６で、ユーザ端末は、受信されたＤＣＩ  ｆｏｒｍａｔシグナリングに付けられたＨＰＳに基づいて、結合対象データを位置決めして、位置決めされた結合対象データと、受信された再送データとを結合する。
【００４９】
上記の実施例から分かるように、ＤＣＩ  ｆｏｒｍａｔシグナリングにＨＰＳフィールドを直接に追加することにより、ユーザ端末は、ＤＣＩ  ｆｏｒｍａｔシグナリングを受信すると、受信された再送データの初回送信時に使用されたキャリアを知ることができるため、受信された再送データとこの前に受信されたどのデータとを結合すべきであるかを正確に位置決めでき、これにより、再送データの受信を完成できる。
【００５０】
（実施例２）
本実施例において、下り制御シグナリングは、ＤＣＩ  ｆｏｒｍａｔシグナリングを例とする。また、ＤＣＩ  ｆｏｒｍａｔシグナリングには、ＣＩフィールドが含まれる。つまり、本実施例において、ＰＤＣＣＨで送信されたＤＣＩ  ｆｏｒｍａｔシグナリングは、ほかのキャリアでのＰＤＳＣＨ／ＰＵＳＣＨのリソース割り当ての指示に用いることができる。
【００５１】
この場合も、ＤＣＩ  ｆｏｒｍａｔシグナリングに、ＨＰＳ情報を搭載するためのＨＰＳフィールドを直接に追加することができる。図４は、実施例２で拡張されたＤＣＩ  ｆｏｒｍａｔのフォーマットを示す。図４において、ＤＣＩ  ｆｏｒｍａｔ欄は、ＮＤＩとＨＰＮとを搭載できる従来のＤＣＩ  ｆｏｒｍａｔシグナリングの構造を代表し、ＣＩ欄は、キャリアインデックスを搭載するためのＣＩフィールドを代表し、ＨＰＳ欄は、新たに追加されるＨＰＳフィールドを代表し、ＣＲＣ欄は、ＤＣＩ  ｆｏｒｍａｔシグナリングのＣＲＣの検査結果を搭載するためのＣＲＣフィールドを代表する。上記のように、ＨＰＳフィールドの長さは、３ビットであってよい。
【００５２】
図５は、実施例２に係るデータ再送方法のフローチャートである。図５に示すように、本発明の実施例に係るデータ再送方法は、下記のステップを含んでよい。
【００５３】
ステップ３０１で、データの初回送信時に使用されたキャリアのインデックスを搭載するためのＨＰＳフィールドを、ＤＣＩ  ｆｏｒｍａｔシグナリングに追加する。
【００５４】
ステップ３０２で、基地局は、データを再送する前に、データ再送時に使用されるキャリアを決定する。
【００５５】
上記のように、本ステップにおいて、基地局は、任意の方式を採用して、データ再送時に使用されるキャリアを決定することができ、例えば、再送の成功率を向上させるように、チャネル品質が比較的よいキャリアを、データ再送時に使用されるキャリアとして、選択することができる。
【００５６】
ステップ３０３で、基地局は、ＣＩフィールドとＨＰＳとが付けられたＤＣＩ  ｆｏｒｍａｔシグナリングをユーザ端末へ送信して、ユーザ端末に対し、ＣＩフィールドで識別されるキャリアで再送データを受信するよう指示し、かつ、該データの初回送信時に使用されたキャリアを、明示的な方式でユーザ端末へ指示する。ここで、ＣＩは、データ再送時に使用されるキャリアを示し、ＨＰＮは、再送データのプロセス番号を示し、ＨＰＳは、前記データの初回送信時に使用されたキャリアのインデックスを示す。
【００５７】
ステップ３０４で、基地局は、決定されたデータ再送時に使用されるキャリアで、データを再送する。
【００５８】
ステップ３０５で、ユーザ端末は、ＤＣＩ  ｆｏｒｍａｔシグナリングを受信して、ＤＣＩ  ｆｏｒｍａｔシグナリングの指示に従って、ＣＩフィールドで識別されるキャリアで、再送データを受信する。
【００５９】
ステップ３０６で、ユーザ端末は、受信されたＤＣＩ  ｆｏｒｍａｔシグナリングに付けられたＨＰＳに基づいて、結合対象データを位置決めして、位置決めされた結合対象データと、受信された再送データとを結合する。
【００６０】
上記の実施例から分かるように、ＤＣＩ  ｆｏｒｍａｔシグナリングにＨＰＳフィールドを直接に追加することにより、ユーザ端末は、ＤＣＩ  ｆｏｒｍａｔシグナリングを受信すると、受信された再送データの初回送信時に使用されたキャリアを知ることができるため、受信された再送データとこの前に受信されたどのデータとを結合すべきであるかを正確に位置決めでき、これにより、データの受信を完成できる。
【００６１】
（実施例３）
本実施例において、下り制御シグナリングは、ＤＣＩ  ｆｏｒｍａｔシグナリングを例とする。また、ＤＣＩ  ｆｏｒｍａｔシグナリングには、ＣＩフィールドが含まれる。つまり、本実施例において、ＰＤＣＣＨで送信されたＤＣＩ  ｆｏｒｍａｔシグナリングは、ほかのキャリアでのＰＤＳＣＨ／ＰＵＳＣＨのリソース割り当ての指示に用いることができる。
【００６２】
この場合、データ再送時に使用されるキャリアのインデックスをＨＰＳ情報とともに搭載するように、ＤＣＩ  ｆｏｒｍａｔシグナリングにおけるＣＩフィールドを拡張することもできる。これにより、ＣＩ＆ＨＰＳフィールドを得る。図６は、実施例３で拡張されたＤＣＩ  ｆｏｒｍａｔのフォーマットを示す。図６において、ＤＣＩ  ｆｏｒｍａｔ欄は、ＮＤＩとＨＰＮとを搭載できる従来のＤＣＩ  ｆｏｒｍａｔシグナリングの構造を代表し、ＣＩ＆ＨＰＳ欄は、キャリアインデックスおよびＨＰＳを搭載するためのＣＩ＆ＨＰＳフィールドを代表し、ＣＲＣ欄は、ＤＣＩ  ｆｏｒｍａｔシグナリングのＣＲＣの検査結果を搭載するためのＣＲＣフィールドを代表する。現在の標準では、最大５つのキャリアのアグリゲーションがサポートされている。そのため、ＣＩおよびＨＰＳは、いずれも最大５つの値がある。この場合、ＣＩとＨＰＳとの値を統合符号化することができ、即ち、５ビットのＣＩ＆ＨＰＳフィールドで、ＣＩとＨＰＳの２５種類の組み合わせを代表することができる。このように、ＣＩ＆ＨＰＳフィールドの長さが５ビットであってよいと分かる。
【００６３】
下記の表１は１つの符号化方式を示す。説明すべきものとして、長さが５ビットであるＣＩ＆ＨＰＳフィールドは、３２種類の組み合わせを代表する３２個のコードワードを提供することができる。従って、本発明の実施例において、複数の符号化方式で、５ビットのＣＩ＆ＨＰＳフィールドを使用して、ＣＩとＨＰＳの２５種類の組み合わせを符号化することができる。表１は、ただ１つの例を提供し、本発明の範囲を限定するものではない。
【００６４】
【表１】
2011250407.tif 000003
【００６５】
本実施例に係るデータ再送方法のフローについて、図５を参照してよい。
【００６６】
上記の実施例から分かるように、ＤＣＩ  ｆｏｒｍａｔシグナリングにＨＰＳフィールドを追加することにより、ユーザ端末は、ＤＣＩ  ｆｏｒｍａｔシグナリングを受信すると、受信された再送データの初回送信時に使用されたキャリアを知ることができるため、受信された再送データとこの前に受信されたどのデータとを結合すべきであるかを正確に位置決めでき、これにより、データの受信を完成できる。
【００６７】
また、上記の実施例１〜実施例３に係るデータ再送方法において、基地局は、下り制御シグナリングを介して、再送データの初回送信時に使用されたキャリアを、明示的な方式でユーザ端末へ指示する。これ以外に、基地局は、再送データの初回送信時に使用されたキャリアを、暗示的な方式でユーザ端末へ指示することもできる。以下、具体的な実施例によって、再送データの初回送信時に使用されたキャリアを、暗示的な方式でユーザ端末へ指示する場合のデータ再送方法を詳細に説明する。
【００６８】
（実施例４）
本実施例において、下り制御シグナリングは、ＤＣＩ  ｆｏｒｍａｔシグナリングを例とする。また、ＨＰＳ情報をユーザ識別子（ＵＥ  ＩＤ）とともに、ＤＣＩ  ｆｏｒｍａｔシグナリングにおけるＣＲＣのマスクコードとして、ＤＣＩ  ｆｏｒｍａｔシグナリングにおけるＣＲＣフィールドに搭載されるＣＲＣの値を排他的論理和演算することにより、ＨＰＳ情報を、基地局からユーザ端末へ送信されるＤＣＩ  ｆｏｒｍａｔシグナリングに搭載する。本実施例において、ＤＣＩ  ｆｏｒｍａｔシグナリングには、ＣＩフィールドが含まれてもよいし、含まれなくてもよい。
【００６９】
図７は、実施例４に係るデータ再送方法のフローチャートである。図７に示すように、本発明の実施例に係るデータ再送方法は、下記のステップを含んでよい。
【００７０】
ステップ４０１で、基地局は、データを再送する前に、データ再送時に使用されるキャリアを決定し、伝送対象となるＨＰＳ情報を決定する。
【００７１】
本ステップにおいて、基地局は、任意の方式を採用して、データ再送時に使用されるキャリアを決定することができ、例えば、再送の成功率を向上させるように、チャネル品質が比較的よいキャリアを、データ再送時に使用されるキャリアとして、選択することができる。
【００７２】
ステップ４０２で、基地局は、ユーザ識別子（ＵＥ  ＩＤ）とＨＰＳ情報とを加算して、第１のシーケンスを得る。
【００７３】
本ステップにおいて、ＵＥ  ＩＤとＨＰＳ情報とを前後で重ね合わせて、直接に第１のシーケンスとしてもよい。例えば、「ＵＥ  ＩＤ＋ＨＰＳ」の方式または「ＨＰＳ＋ＵＥ  ＩＤ」の方式を採用する。
【００７４】
ステップ４０３で、基地局は、第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しいＤＣＩ  ｆｏｒｍａｔシグナリングとする。
【００７５】
ステップ４０４で、基地局は、ＤＣＩ  ｆｏｒｍａｔシグナリングをユーザ端末へ送信して、該データの初回送信時に使用されたキャリアのインデックスを、暗示的な方式でユーザ端末へ指示し、決定されたデータ再送時に使用されるキャリアで、データを再送する。
【００７６】
本ステップにおいて、ＤＣＩ  ｆｏｒｍａｔシグナリングにＣＩフィールドが含まれる場合、データ再送時に使用されるキャリアのインデックスをＣＩフィールドで搭載し、ユーザ端末に対し、ＣＩフィールドで識別されるキャリアで再送データを受信するよう指示する。ＤＣＩ  ｆｏｒｍａｔシグナリングにＣＩフィールドが含まれない場合、ユーザ端末に対し、現在のキャリアで再送データを受信するよう指示する。
【００７７】
ステップ４０５で、ユーザ端末は、ＤＣＩ  ｆｏｒｍａｔシグナリングを受信して、ＤＣＩ  ｆｏｒｍａｔシグナリングの指示に従って、ＣＩフィールドで識別されるキャリアまたは現在のキャリアで、再送データを受信する。
【００７８】
ステップ４０６で、ユーザ端末は、受信されたＤＣＩ  ｆｏｒｍａｔシグナリングを第３のシーケンスとし、ＵＥ  ＩＤとＨＰＳの全ての可能な値のそれぞれとを加算して、複数の候補シーケンスを得、各候補シーケンスそれぞれで第３のシーケンスを排他的論理和演算して、複数のＣＲＣ推定値を得る。
【００７９】
例えば、ＨＰＳの全ての可能な値が「０」、「１」、「２」、「３」および「４」であって、かつ、ステップ４０２で、基地局が「ＵＥ  ＩＤ＋ＨＰＳ」の方式を採用して第１のシーケンスを生成する場合、本ステップにおいて、候補シーケンスは、それぞれ「ＵＥ  ＩＤ」、「ＵＥ  ＩＤ＋１」、「ＵＥ  ＩＤ＋２」、「ＵＥ  ＩＤ＋３」および「ＵＥ  ＩＤ＋４」である。
【００８０】
ステップ４０７で、ＤＣＩ  ｆｏｒｍａｔシグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得、得られたＨＰＳに基づいて、受信された再送データの初回送信時に使用されたキャリアのインデックスを決定する。
【００８１】
例えば、「ＵＥ  ＩＤ＋２」で排他的論理和演算して得られたＣＲＣ推定値が第２のシーケンスと同じである場合、ＨＰＳ情報が２であると決定することができる。
【００８２】
ステップ４０８で、ユーザ端末は、決定されたＨＰＳに基づいて、結合対象データを位置決めして、位置決めされた結合対象データと、受信された再送データとを結合する。
【００８３】
本実施例において、基地局は、ＨＰＳ情報をＵＥ  ＩＤ情報とともに、ＤＣＩ  ｆｏｒｍａｔシグナリングのＣＲＣの検査結果のマスクコードとして、ＣＲＣを排他的論理和演算することで、ＨＰＳ情報をＤＣＩ  ｆｏｒｍａｔシグナリングのＣＲＣフィールドに搭載する。ユーザ端末は、ＤＣＩ  ｆｏｒｍａｔシグナリングを受信すると、マスク処理によって、受信された再送データの初回送信時に使用されたキャリアを知ることができるため、受信された再送データとこの前に受信されたどのデータとを結合すべきであるかを正確に位置決めでき、これにより、データの受信を完成できる。
【００８４】
（実施例５）
本実施例においても、下り制御シグナリングは、ＤＣＩ  ｆｏｒｍａｔシグナリングを例とする。また、ＨＰＳ情報をセル識別子（ＣＥＬＬ  ＩＤ）とともに、ＤＣＩ  ｆｏｒｍａｔシグナリングのスクランブルコードとして、チャネル符号化されたＤＣＩ  ｆｏｒｍａｔシグナリングを排他的論理和演算することにより、ＨＰＳ情報を、基地局からユーザ端末へ送信されたＤＣＩ  ｆｏｒｍａｔシグナリングに搭載する。本実施例において、ＤＣＩ  ｆｏｒｍａｔシグナリングには、ＣＩフィールドが含まれてもよいし、含まれなくてもよい。
【００８５】
図８は、実施例５に係るデータ再送方法のフローチャートである。図８に示すように、本発明の実施例に係るデータ再送方法は、下記のステップを含んでよい。
【００８６】
ステップ５０１で、基地局は、データを再送する前に、データ再送時に使用されるキャリアを決定し、伝送対象となるＨＰＳ情報を決定する。
【００８７】
本ステップにおいて、基地局は、任意の方式を採用して、データ再送時に使用されるキャリアを決定することができ、例えば、再送の成功率を向上させるように、チャネル品質が比較的よいキャリアを、データ再送時に使用されるキャリアとして、選択することができる。
【００８８】
ステップ５０２で、基地局は、セル識別子（ＣＥＬＬ  ＩＤ）とＨＰＳとを加算して、第１のシーケンスを得る。
【００８９】
本ステップにおいて、ＣＥＬＬ  ＩＤとＨＰＳ情報とを前後で重ね合わせて、直接にＣＲＣの第１のシーケンスとしてもよい。例えば、「ＣＥＬＬ  ＩＤ＋ＨＰＳ」の方式または「ＨＰＳ＋ＣＥＬＬ  ＩＤ」の方式を採用する。
【００９０】
ステップ５０３で、基地局は、第１のシーケンスと下り制御シグナリングの構成シーケンスとを排他的論理和演算して、第２のシーケンスを得、第２のシーケンスを新しいＤＣＩ  ｆｏｒｍａｔシグナリングとする。
【００９１】
ステップ５０４で、基地局は、ＤＣＩ  ｆｏｒｍａｔシグナリングをユーザ端末へ送信して、該データの初回送信時に使用されたキャリアを、暗示的な方式でユーザ端末へ指示し、決定されたデータ再送時に使用されるキャリアで、データを再送する。
【００９２】
本ステップにおいて、ＤＣＩ  ｆｏｒｍａｔシグナリングにＣＩフィールドが含まれる場合、データ再送時に使用されるキャリアのインデックスをＣＩフィールドで搭載し、ユーザ端末に対し、ＣＩフィールドで識別されるキャリアで再送データを受信するよう指示する。ＤＣＩ  ｆｏｒｍａｔシグナリングにＣＩフィールドが含まれない場合、ユーザ端末に対し、現在のキャリアで再送データを受信するよう指示する。
【００９３】
ステップ５０５で、ユーザ端末は、ＤＣＩ  ｆｏｒｍａｔシグナリングを受信して、ＤＣＩ  ｆｏｒｍａｔシグナリングに従って、再送データを受信する。
【００９４】
ステップ５０６で、ユーザ端末は、受信された下り制御シグナリングを第２のシーケンスとし、ＣＥＬＬ  ＩＤとＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得る。
【００９５】
例えば、ＨＰＳの全ての可能な値が「０」、「１」、「２」、「３」および「４」であって、かつ、ステップ５０２で、基地局が「ＣＥＬＬ  ＩＤ＋ＨＰＳ」の方式を採用して第１のシーケンスを生成する場合、本ステップにおいて、候補シーケンスは、それぞれ「ＣＥＬＬ  ＩＤ」、「ＣＥＬＬ  ＩＤ＋１」、「ＣＥＬＬ  ＩＤ＋２」、「ＣＥＬＬ  ＩＤ＋３」および「ＣＥＬＬ  ＩＤ＋４」である。
【００９６】
本ステップにおいて、「ＣＥＬＬ  ＩＤ＋２」で第２のシーケンスを排他的論理和演算すると正確な結果を取得できる場合、基地局で使用される第１のシーケンスが「ＣＥＬＬ  ＩＤ＋２」であると決定し、さらに、ＨＰＳ情報が２であると決定することができる。
【００９７】
ステップ５０７で、ユーザ端末は、再送データを受信した後、決定されたＨＰＳに基づいて、結合対象データを位置決めして、位置決めされた結合対象データと、受信された再送データとを結合する。
【００９８】
本実施例において、基地局は、ＨＰＳ情報をＣＥＬＬ  ＩＤ情報とともに、ＤＣＩ  ｆｏｒｍａｔシグナリングのスクランブルコードとして、ＣＲＣを排他的論理和演算することで、ＨＰＳ情報をＤＣＩ  ｆｏｒｍａｔシグナリングに搭載する。ユーザ端末は、ＤＣＩ  ｆｏｒｍａｔシグナリングを受信すると、デスクランブル処理によって、受信された再送データの初回送信時に使用されたキャリアを知ることができるため、受信された再送データとこの前に受信されたどのデータとを結合すべきであるかを正確に位置決めでき、これにより、データの受信を完成できる。
【００９９】
上記の実施例１〜実施例５から分かるように、上記の実施例は、いずれも基地局からユーザ端末へ送信された下り制御シグナリングを介して、ＨＰＳ情報をユーザ端末へ指示する。これ以外に、本発明の実施例では、ほかの代替案が提供されている。
【０１００】
（実施例６）
本実施例において、基地局とユーザ端末は、再送用のキャリアオフセットフォーマットを予め約束しておき、再送時に、基地局は、約束したキャリアオフセットフォーマットを採用してデータを再送する一方、ユーザ端末は、約束したキャリアオフセットフォーマットを採用してデータを受信する。具体的に、上記のキャリアオフセットフォーマットは、キャリアインデックスのオフセット量であってよく、具体的に、現在のデータ再送時に使用されるキャリアのインデックスと、該データの前回送信（初回送信または再送）時に使用されたキャリアのインデックスとのオフセット量を指す。ＬＴＥ−Ａシステムでは、最大５つのキャリアのキャリアアグリゲーションがサポートされている。そのため、上記のオフセット量の値は０〜４であってよい。例えば、キャリアオフセットフォーマットが「０」である場合、毎回の再送に同じキャリア（即ち、データの初回送信時に使用されたキャリア）を使用するということが示され、キャリアオフセットフォーマットが「１」である場合、現在のデータ再送時に使用されるキャリアのインデックスが、該データの前回送信（初回送信または再送）時に使用されたキャリアのインデックスに「１」を加えた値（「５」以上であれば、「５」を法とする剰余値）であるということが示され、キャリアオフセットフォーマットが「２」である場合、現在のデータ再送時に使用されるキャリアのインデックスが、該データの前回送信（初回送信または再送）時に使用されたキャリアのインデックスに「２」を加えた値（「５」以上であれば、「５」を法とする剰余値）であるということが示され、このように類推する。本実施例においても、下り制御シグナリングは、ＤＣＩ  ｆｏｒｍａｔシグナリングを例とする。
【０１０１】
図９は、実施例６に係るデータ再送方法のフローチャートである。図９に示すように、本発明の実施例に係るデータ再送方法は、下記のステップを含んでよい。
【０１０２】
ステップ６０１で、基地局は、データを再送する前に、ユーザ端末と約束したキャリアオフセットフォーマット、およびデータの初回送信時に使用されたキャリアのインデックスに基づいて、データ再送時に使用されるキャリアを決定する。
【０１０３】
本ステップにおいて、基地局は、下記の数式１によって、データ再送時に使用されるキャリアのインデックスを決定することができる。
［数式１］
Ｃ＝（Ｏ×Ｒ＋ＨＰＳ）ｍｏｄ  Ｎ
ここで、Ｃは、データ再送時に使用されるキャリアのインデックスであり、Ｏは、キャリアオフセットフォーマットで約束したキャリアオフセット量であり、Ｒは再送の回数であり、ＨＰＳは、データの初回送信時に使用されたキャリアのインデックスであり、Ｎはキャリア数である。
【０１０４】
ステップ６０２で、基地局は、下り制御シグナリングをユーザ端末へ送信して、該データの初回送信時に使用されたキャリアを、暗示的な方式でユーザ端末へ指示し、決定されたデータ再送時に使用されるキャリアで、データを再送する。
【０１０５】
本ステップにおいて、下り制御シグナリングにＣＩフィールドが含まれる場合、データ再送時に使用されるキャリアのインデックスをＣＩフィールドで搭載し、ユーザ端末に対し、ＣＩフィールドで識別されるキャリアで再送データを受信するよう指示する。下り制御シグナリングにＣＩフィールドが含まれない場合、ユーザ端末に対し、現在のキャリアで再送データを受信するよう指示する。
【０１０６】
ステップ６０３で、ユーザ端末は、下り制御シグナリングを受信して、下り制御シグナリングに従って、再送データを受信する。
【０１０７】
ステップ６０４で、ユーザ端末は、基地局と約束したキャリアオフセットフォーマット、および再送データ受信用のインデックスに基づいて、データの初回送信時に使用されたキャリアのインデックスを決定し、結合対象データを位置決めして、位置決めされた結合対象データと、受信された再送データとを結合する。
【０１０８】
本ステップにおいて、ユーザ端末も、上記の数式１によって、データの初回送信時に使用されたキャリアのインデックスを決定することができる。
【０１０９】
上記の実施例から分かるように、基地局は、データ再送時に使用されるキャリアと、該データの初回送信時に使用されたキャリアとを、予めユーザ端末へ指示する。そのため、ユーザ端末は、再送データを受信した後、該データの初回送信時に使用されたキャリアに基づいて、結合対象データを位置決めでき、そして、再送データと結合対象データとを結合することで、データの再送を実現する。説明すべきものとして、上記のキャリアオフセットフォーマットは、複数種類であってよい。区別するために、各キャリアオフセットフォーマットをシーケンス番号で識別することができる。この時、上記のキャリアオフセットフォーマットを変更する必要がある場合、基地局は、上位階層シグナリングまたは制御情報を介して、更新されたキャリアオフセットフォーマットのシーケンス番号をユーザ端末へ送信することができる。
【０１１０】
上記方法の以外、本発明の実施例では、上記方法を実現する基地局およびユーザ端末も提供されている。
【０１１１】
ここで、基地局の内部は、図１０に示すように、データを再送する前に、前記データの初回送信時に使用されたキャリアを、明示的または暗示的な方式でユーザ端末へ指示するキャリア指示手段と、データを再送するデータ再送手段と、を含む。
【０１１２】
ユーザ端末の内部は、図１１に示すように、データ再送時に使用されるキャリアで、再送データを受信するデータ受信手段と、データの初回送信時に使用されたキャリアに基づいて、この前に受信された結合対象データを位置決めするデータ位置決め手段と、再送データと結合対象データとを結合し、データの受信を完成するデータ結合手段と、を含む。
【０１１３】
上記の実施例１および実施例２に対応して、基地局は、データの初回送信時に使用されたキャリアのインデックスを搭載するためのＨＰＳフィールドを、下り制御シグナリングに追加するＨＰＳフィールド追加手段を、さらに含む。この場合、キャリア指示手段は、ＨＰＮとＨＰＳとが付けられた下り制御シグナリングを、ユーザ端末へ送信し、ここで、ＨＰＮは、前記データのプロセス番号を示し、ＨＰＳは、前記データの初回送信時に使用されたキャリアのインデックスを示す。
【０１１４】
相応的に、ユーザ端末は、下り制御シグナリングを受信し、データ受信手段に対し、下り制御シグナリングで指示されたキャリアで、再送データを受信するよう指示する下り制御シグナリング受信手段を、さらに含む。この場合、データ位置決め手段は、受信された下り制御シグナリングに付けられたＨＰＳとＨＰＮとに基づいて、結合対象データを位置決めし、位置決めされた結合対象データと、受信された再送データとを結合する。
【０１１５】
上記の実施例３に対応して、基地局は、データ再送時に使用されるキャリアのインデックスとＨＰＳとをともに搭載するように、下り制御シグナリングにおけるＣＩフィールドを拡張するＣＩフィールド拡張手段を、さらに含む。この場合、キャリア指示手段は、ＣＩとＨＰＮとＨＰＳとが付けられた下り制御シグナリングを、ユーザ端末へ送信し、ここで、ＣＩは、前記データ再送時に使用されるキャリアのインデックスを示し、ＨＰＮは、前記データのプロセス番号を示し、ＨＰＳは、前記データの初回送信時に使用されたキャリアのインデックスを示す。
【０１１６】
相応的に、ユーザ端末は、下り制御シグナリングを受信し、データ受信手段に対し、下り制御シグナリングに付けられたＣＩフィールドで識別されるキャリアで、再送データを受信するよう指示する下り制御シグナリング受信手段を、さらに含む。この場合、データ位置決め手段は、受信された下り制御シグナリングに付けられたＨＰＳとＨＰＮとに基づいて、結合対象データを位置決めする。
【０１１７】
実施例４に対応して、基地局は、ユーザ識別子（ＵＥ  ＩＤ）とＨＰＳとを加算して、第１のシーケンスを得る第１のシーケンス生成手段と、第１のシーケンスと、下り制御シグナリングのＣＲＣフィールドに対応するシーケンスとを排他的論理和演算して、第２のシーケンスを得、下り制御シグナリングのＣＲＣフィールドにおけるシーケンスに代わって、第２のシーケンスで元の下り制御シグナリングのシーケンスとともに第３のシーケンスを構成して、新しい下り制御シグナリングとする下り制御シグナリング生成手段と、をさらに含む。この場合、キャリア指示手段は、新しい下り制御シグナリングをユーザ端末へ送信する。
【０１１８】
相応的に、ユーザ端末は、下り制御シグナリングを受信し、データ受信手段に対し、下り制御シグナリングに従って、再送データを受信するよう指示する下り制御シグナリング受信手段と、受信された下り制御シグナリングを第３のシーケンスとし、ユーザ識別子（ＵＥ  ＩＤ）とＨＰＳの全ての可能な値のそれぞれとを加算して、複数の候補シーケンスを得、各候補シーケンスそれぞれで第３のシーケンスを排他的論理和演算して、複数のＣＲＣ推定値を得、下り制御シグナリングのＣＲＣフィールドに対応するシーケンスを第２のシーケンスとし、第２のシーケンスと前記複数のＣＲＣ推定値のそれぞれとを比較し、第２のシーケンスと同じであるＣＲＣ推定値に対応する候補シーケンスを第１のシーケンスとし、第１のシーケンスからＵＥ  ＩＤを引いて、ＨＰＳを得るＨＰＳ決定手段と、をさらに含む。この場合、データ位置決め手段は、決定されたＨＰＳに基づいて、結合対象データを位置決めする。
【０１１９】
実施例５に対応して、基地局は、セル識別子（ＣＥＬＬ  ＩＤ）とＨＰＳとを加算して、第１のシーケンスを得る第１のシーケンス生成手段と、第１のシーケンスと、下り制御シグナリングの構成シーケンスとを排他的論理和演算して、第２のシーケンスを得、第２のシーケンスを新しい下り制御シグナリングとする下り制御シグナリング生成手段と、をさらに含む。この場合、キャリア指示手段は、新しい下り制御シグナリングをユーザ端末へ送信する。
【０１２０】
相応的に、ユーザ端末は、下り制御シグナリングを受信し、データ受信手段に対し、下り制御シグナリングに従って、再送データを受信するよう指示する下り制御シグナリング受信手段と、受信された下り制御シグナリングを第２のシーケンスとし、セル識別子（ＣＥＬＬ  ＩＤ）とＨＰＳの全ての可能な値のそれぞれとを加算して、複数の候補シーケンスを得、各候補シーケンスそれぞれで第２のシーケンスを排他的論理和演算して、正確な演算結果に対応する候補シーケンスを第１のシーケンスとし、第１のシーケンスからＣＥＬＬ  ＩＤを引いて、ＨＰＳを得るＨＰＳ決定手段と、をさらに含む。この場合、データ位置決め手段は、決定されたＨＰＳに基づいて、結合対象データを位置決めする。
【０１２１】
実施例６に対応して、基地局は、ユーザ端末とキャリアオフセットフォーマットを予め同期するキャリアオフセットフォーマット同期手段を、さらに含む。この場合、キャリア決定手段は、ユーザ端末と約束したキャリアオフセットフォーマット、およびデータの初回送信時に使用されたキャリアのインデックスに基づいて、データ再送時に使用されるキャリアを決定する。キャリア指示手段は、再送対象データのＨＰＮが付けられる下り制御シグナリングを、ユーザ端末へ送信する。
【０１２２】
相応的に、ユーザ端末は、基地局と約束したキャリアオフセットフォーマット、および再送データ受信用のインデックスに基づいて、データの初回送信時に使用されたキャリアのインデックスを決定するキャリアオフセットフォーマット同期手段と、下り制御シグナリングを受信し、データ受信手段に対し、下り制御シグナリングで指示されたキャリアで、再送データを受信するよう指示する下り制御シグナリング受信手段と、をさらに含む。この場合、データ位置決め手段は、決定されたデータの初回送信時に使用されたキャリアのインデックス、および下り制御シグナリングに付けられたＨＰＮに基づいて、結合対象データを位置決めする。
【０１２３】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011250407.tif 000004
【図２】
2011250407.tif 000005
【図３】
2011250407.tif 000006
【図４】
2011250407.tif 000007
【図５】
2011250407.tif 000008
【図６】
2011250407.tif 000009
【図７】
2011250407.tif 000010
【図８】
2011250407.tif 000011
【図９】
2011250407.tif 000012
【図１０】
2011250407.tif 000013
【図１１】
2011250407.tif 000014